【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
ネットワーク上で利用可能なデータの統合および送達を容易にするシステムであって、該システムは、
該ネットワークに結合された１つ以上のホストコンピュータコンポーネントと、
少なくとも１つの公衆で利用可能なデータ記憶装置と、
少なくとも１つのプライベートデータ記憶装置と
を備え、
該少なくとも１つの公衆で利用可能なデータ記憶装置と該少なくとも１つのプライベートデータ記憶装置とは、該１つ以上のホストコンピュータコンポーネントに結合されており、
該１つ以上のホストコンピュータコンポーネントは、
企業トランザクションデータとビジネスパートナートランザクションデータとを受け取ることと、
該受け取られた企業トランザクションデータとビジネスパートナートランザクションデータとを集めることにより、集められたトランザクションデータを生成することと、
該少なくとも１つの公衆で利用可能なデータ記憶装置から公衆データを取得することであって、該公衆データは、プライベートデータと該集められたトランザクションデータとによって決定される、ことと、
該少なくとも１つのプライベートデータ記憶装置から該プライベートデータを取得することと、
該公衆データと該プライベートデータとを統合することにより、該ネットワークを介してユーザシステムに送達するための統合データを形成することと
を行うように構成されている、システム。
【請求項２】
前記少なくとも１つのユーザシステムは、パーソナルコンピュータを備えた、請求項１に記載のシステム。
【請求項３】
前記少なくとも１つのユーザシステムは、無線デバイスを備えた、請求項１に記載のシステム。
【請求項４】
前記無線デバイスは、携帯情報端末である、請求項３に記載のシステム。
【請求項５】
前記無線デバイスは、無線電話である、請求項３に記載のシステム。
【請求項６】
前記少なくとも１つのユーザシステムは、前記統合データを自動的に取り出して記憶するように構成されているコンピュータを備えた、請求項１に記載のシステム。
【請求項７】
前記ネットワーク上で通信するように構成されているブラウザを用いて、前記少なくとも１つのユーザシステムは、前記統合データを表示するように構成されている、請求項１に記載のシステム。
【請求項８】
前記ネットワーク上で通信するように構成されているネットワークインターフェースデバイスを用いて、前記少なくとも１つのユーザシステムは、前記統合データを表示するように構成されている、請求項１に記載のシステム。
【請求項９】
前記１つ以上のホストコンピュータコンポーネントは、ウェブサーバとアプリケーションサーバとを備えた、請求項１に記載のシステム。
【請求項１０】
前記ウェブサーバは、
前記少なくとも１つのユーザシステムからデータを受け取り、ネットワークセキュリティサービスからデータを呼び出して受け取り、個人プロフィールサービスからデータを呼び出して受け取り、公衆データサービスからデータを呼び出して受け取り、プライベートデータサービスからデータを呼び出して受け取り、リクエストされたデータをフォーマットして該少なくとも１つのユーザシステムに送達するように構成されているデータリクエストハンドラ
を備え、
該ネットワークセキュリティサービスは、該データリクエストハンドラによって呼び出されて、該データリクエストハンドラにデータを返し、かつ、前記アプリケーションサーバからデータを呼び出して受け取るように構成されており、
該個人プロフィールサービスは、該データリクエストハンドラによって呼び出されて、該データリクエストハンドラにデータを返し、かつ、該アプリケーションサーバからデータを呼び出して受け取るように構成されており、
該公衆データサービスは、該データリクエストハンドラによって呼び出されて、該データリクエストハンドラにデータを返し、かつ、該アプリケーションサーバからデータを呼び出して受け取るように構成されており、
該プライベートデータサービスは、該データリクエストハンドラによって呼び出されて、該データリクエストハンドラにデータを返し、かつ、該アプリケーションサーバからデータを呼び出して受け取るように構成されており、
該データリクエストハンドラと該ネットワークセキュリティサービスと該個人プロフィールサービスと該公衆データサービスと該プライベートデータサービスとは、互いに通信する、請求項９に記載のシステム。
【請求項１１】
前記アプリケーションサーバは、
トランザクションデータを受け取って集めるように構成されているトランザクションアグリゲーションユーティリティと、
コンテンツデータを受け取って集めるように構成されているコンテンツアグリゲーションユーティリティと、
個人プロフィールデータを受け取るように構成されている個人プロフィールユーティリティと、
認証データに対する１つ以上のリクエストを受け取って処理するように構成されているネットワークセキュリティユーティリティと、
コンテンツを管理するように構成されているコンテンツ管理ユーティリティと、
提示のためのデータを処理するように構成されている双方向提示ユーティリティと
を備え、
該トランザクションアグリゲーションユーティリティと該コンテンツアグリゲーションユーティリティと該個人プロフィールユーティリティと該ネットワークセキュリティユーティリティと該コンテンツ管理ユーティリティと該双方向提示ユーティリティとは、互いに通信する、請求項９に記載のシステム。
【請求項１２】
前記個人プロフィールユーティリティは、個人プロフィールデータ記憶装置と個人選考データ記憶装置とを備えた、請求項１１に記載のシステム。
【請求項１３】
前記個人プロフィールデータ記憶装置は、読出し最適化データ記憶装置を備えた、請求項１２に記載のシステム。
【請求項１４】
前記トランザクションアグリゲーションユーティリティは、企業トランザクションデータとビジネスパートナートランザクションデータとを受け取って集める、請求項１１に記載のシステム。
【請求項１５】
前記コンテンツアグリゲーションユーティリティは、企業コンテンツデータとビジネスパートナーコンテンツデータとを受け取って集める、請求項１１に記載のシステム。
【請求項１６】
前記個人プロフィールユーティリティは、ユーザ登録データと、コンテンツページからのクリックストリームデータと、トランザクションページからのクリックストリームデータとを受け取る、請求項１１に記載のシステム。
【請求項１７】
前記プライベートデータは、プライベートトランザクションデータを含む、請求項１に記載のシステム。
【請求項１８】
前記ホストコンピュータコンポーネントは、前記プライベートデータに基づいて、前記公衆データをフォーマットするように構成されている双方向提示ユーティリティを備えた、請求項１に記載のシステム。
【請求項１９】
前記プライベートデータは、消費習慣データを含み、前記公衆データは、販売促進データを含む、請求項１に記載のシステム。
【請求項２０】
ホストコンピュータを用いて、ネットワーク上で利用可能なデータを統合および送達する方法であって、該ホストコンピュータは、該ネットワークと、少なくとも１つの公衆で利用可能なデータ記憶装置と、少なくとも１つのプライベートデータ記憶装置とに結合されており、該ネットワークは、ユーザシステムに接続されており、該方法は、
企業トランザクションデータとビジネスパートナートランザクションデータとを受け取り、該受け取られた企業トランザクションデータとビジネスパートナートランザクションデータとを集めることにより、集められたトランザクションデータを生成し、該少なくとも１つの公衆で利用可能なデータ記憶装置から公衆データを取得することであって、該公衆データは、プライベートデータと該集められたトランザクションデータとによって決定される、ことと、
該少なくとも１つのプライベートデータ記憶装置から該プライベートデータを取得することと、
該公衆データと該プライベートデータとを統合することにより統合データを形成することと、
該統合データを該ユーザシステムに送達することと
を包含する、方法。
【請求項２１】
前記公衆データを取得することが、前記少なくとも１つの公衆で利用可能なデータ記憶装置の変更に従って、該公衆データを双方向的に更新することを包含するか、または
前記プライベートデータを取得することが、前記少なくとも１つのプライベートデータ記憶装置の変更に従って、該プライベートデータを双方向的に更新することを包含する、請求項２０に記載の方法。
【請求項２２】
前記ホストコンピュータは、個人プロフィールユーティリティを備え、前記統合することは、該個人プロフィールユーティリティに従って、前記公衆データと前記プライベートデータとをカスタマイズすることを包含する、請求項２０に記載の方法。
【請求項２３】
前記個人プロフィールユーティリティは、個人プロフィールデータ記憶装置と個人選考データ記憶装置とを備えた、請求項２２に記載の方法。
【請求項２４】
前記カスタマイズすることは、データリクエストサービスプロフィールに従って、前記公衆データと前記プライベートデータとを変換することを包含する、請求項２２に記載の方法。
【請求項２５】
前記ホストコンピュータは、個人プロフィールユーティリティを備え、前記送達することは、該個人プロフィールユーティリティに従って、前記統合データの送達を自動的に開始することを包含する、請求項２０に記載の方法。
【請求項２６】
前記ユーザシステムは、前記ネットワークを介して前記ホストコンピュータに通信するように構成されているブラウザを備え、前記送達することは、該ブラウザを用いて、該ユーザシステムに前記統合データを送達することを包含する、請求項２０に記載の方法。
【請求項２７】
前記送達することは、前記ネットワーク上で通信するように構成されているネットワークインターフェースデバイスを用いて、前記ユーザシステムに前記統合データを送達することを包含する、請求項２０に記載の方法。
【請求項２８】
前記送達することは、前記ユーザシステムに前記統合データを送達することを包含し、該ユーザシステムは、パーソナルコンピュータを備えた、請求項２０に記載の方法。
【請求項２９】
前記送達することは、前記ユーザシステムに前記統合データを送達することを包含し、該ユーザシステムは、無線デバイスを備えた、請求項２０に記載の方法。
【請求項３０】
前記無線デバイスは、携帯情報端末である、請求項２９に記載の方法。
【請求項３１】
前記無線デバイスは、無線電話である、請求項２９に記載の方法。
【請求項３２】
前記送達することは、前記ユーザシステムに前記統合データを送達することを包含し、該ユーザシステムは、該統合データを自動的に取り出して、記憶するように構成されているコンピュータを備えた、請求項２０に記載の方法。
【請求項３３】
前記プライベートデータを取得することは、プライベートトランザクションデータを取得することを包含する、請求項２０に記載の方法。
【請求項３４】
前記統合データをフォーマットすることは、前記プライベートデータに基づいて、前記公衆データをフォーマットすることを包含する、請求項２０に記載の方法。